(57)【要約】【課題】簡易な構成でコンパクトに実現できるとともに設置場所に制約を受けることがない揮発性有機溶剤ガス処理装置を提供する。【解決手段】筐体５と処理部６を備える。筐体５は、揮発性有機溶剤のガスを含む空気が吸入される空気導入管９（吸入口）と吸入された揮発性有機溶剤のガスを含む空気が吐出される排気管１１（吐出口）とを備える。処理部６は、吸入口と吐出口とを結ぶ流路の方向に光触媒が塗布された複数のフィルター１１と紫外光を照射する複数のランプ１２とが交互に並ぶ状態で筐体５の内部に配置されてなる。ランプ１２が点灯している状態で揮発性有機溶剤のガスを含む空気を吸入してフィルター１１を透過させて吐出する。【選択図】  図１
2017215077.tif 000002
【特許請求の範囲】
【請求項１】
揮発性有機溶剤のガスを含む空気が吸入される吸入口と吸入された揮発性有機溶剤のガスを含む空気が吐出される吐出口とを備えた筐体と、
前記吸入口と前記吐出口とを結ぶ流路の方向に光触媒が塗布された複数のフィルターと紫外光を照射する複数のランプとが交互に並ぶ状態で前記筐体の内部に配置された処理部とを備え、
前記ランプが点灯している状態で揮発性有機溶剤のガスを含む空気を吸入して前記フィルターを透過させて吐出することを特徴とする揮発性有機溶剤ガス処理装置。
【発明の詳細な説明】
【技術分野】
【０００１】
本発明は、印刷機で生じる揮発性有機溶剤のガスを除去するための揮発性有機溶剤ガス処理装置に関する。
【背景技術】
【０００２】
近年の環境問題として、揮発性有機化合物によって人体に及ぼされる影響が問題視されている。従来のオフセット印刷機においては、インキや洗浄装置の洗浄液あるいは給水装置の湿し水等に揮発性の有機溶剤が含まれている。この揮発性の有機溶剤は、印刷機内で気化し、ガスとなって放散される。このガスが大量に放散されると、作業環境が悪化することになる。
【０００３】
空気中に含まれる水溶性有機化合物を効率よく分解し除去することが可能な空気浄化システムとして、例えば特許文献１に記載されているものがある。
特許文献１に開示された空気浄化システムは、空気中の有機化合物を水に溶解させ、光触媒を使用して分解して除去する構成が採られている。
【先行技術文献】
【特許文献】
【０００４】
【特許文献１】特開２０１１−３１２２７号公報
【発明の概要】
【発明が解決しようとする課題】
【０００５】
特許文献１に示す空気浄化システムは、有機化合物を溶かすための水槽と、この水槽に水を循環させるための配管やポンプなどの設備を必要とするものである。このため、システム全体が大型になるとともに、水漏れを許容できない場所には防水構造が必要になるために設置場所に制約を受けるという問題があった。
【０００６】
本発明はこのような問題を解消するためになされたもので、簡易な構成でコンパクトに実現できるとともに設置場所に制約を受けることがない揮発性有機溶剤ガス処理装置を提供することを目的とする。
【課題を解決するための手段】
【０００７】
この目的を達成するために、本発明に係る揮発性有機溶剤ガス処理装置は、揮発性有機溶剤のガスを含む空気が吸入される吸入口と吸入された揮発性有機溶剤のガスを含む空気が吐出される吐出口とを備えた筐体と、前記吸入口と前記吐出口とを結ぶ流路の方向に光触媒が塗布された複数のフィルターと紫外光を照射する複数のランプとが交互に並ぶ状態で前記筐体の内部に配置された処理部とを備え、前記ランプが点灯している状態で揮発性有機溶剤のガスを含む空気を吸入して前記フィルターを透過させて吐出するものである。
【発明の効果】
【０００８】
本発明においては、揮発性有機溶剤のガスを含む空気が光触媒を有するフィルターに導かれる。揮発性有機溶剤のガスは、紫外光が照射された光触媒に接触することにより除去される。
本発明による揮発性有機溶剤ガス処理装置によれば、揮発性有機溶剤のガスを発生場所から周辺の空気とともにブロワーによってフィルターに直接導くことが可能である。
【０００９】
このため、この揮発性有機溶剤ガス処理装置は、特許文献１に記載されたような水槽を使用する装置と較べてコンパクトに実現することができる。また、本発明に係る揮発性有機溶剤ガス処理装置は、水の漏洩を許容できない場所でも防水構造を採ることなく設置できる。
したがって、本発明によれば、簡易な構成でコンパクトに実現できるとともに設置場所に制約を受けることがない揮発性有機溶剤ガス処理装置を提供することができる。
【図面の簡単な説明】
【００１０】
【図１】本発明に係る揮発性有機溶剤ガス処理装置の構成を示す正面図である。図１は、処理装置本体の筐体を破断した状態で描いてある。
【図２】処理装置本体の側面図である。図２は処理装置本体の筐体を破断した状態で描いてある。
【図３】フィルターの平面図である。
【発明を実施するための形態】
【００１１】
以下、本発明に係る揮発性有機溶剤ガス処理装置の一実施の形態を図１〜図３によって詳細に説明する。
図１に示す揮発性有機溶剤ガス処理装置１は、ハウジング２と、このハウジング２の中に収容された処理装置本体３およびブロワー４などを備えている。この実施の形態によるハウジング２は、上下方向に延びる角筒状の縦壁部２ａと、この縦壁部２ａの下側の開口を閉塞する底部２ｂと、縦壁部２ａの上側の開口を閉塞する天井部２ｃとによって構成されている。
【００１２】
縦壁部２ａの前面には、図示してはいないが開閉式あるいは着脱式の蓋が設けられている。この蓋を開く、あるいは取り外すことによって、ハウジング２内でメンテナンスを行うことができる。底部２ｂには、このガス処理装置１を移動自在とする場合にはキャスター（図示せず）を設けることができる。
【００１３】
処理装置本体３は、図１および図２に示すように、筐体５と、この筐体５の内部に配置された処理部６とを備えている。
筐体５は、上下方向に延びる角筒部５ａと、この角筒部５ａの下端に設けられた下側蓋部５ｂと、角筒部５ａの上端に設けられた上側蓋部５ｃとによって形成されている。この筐体５の内部は、気密に形成されて空気通路を構成している。
【００１４】
この実施の形態による筐体５の材料は、ステンレス鋼である。この筐体５の内面には、紫外光照射用ランプ１２から照射された紫外光が反射する程度に仕上げ加工が施されている。
筐体５の前面部分には、図示してはいないがメンテナンス用の扉が設けられている。この扉は、筐体５に開閉可能あるいは着脱可能に取付けられている。
【００１５】
下側蓋部５ｂの下端部には、空気導入管７の下流側端部が接続されている。この空気導入管７の上流側端部は、ハウジング２の一側部に接続されてハウジング２に支持されている。この空気導入管７の上流側端部は、図示してはいないが、印刷機を覆うカバーの換気口に空気導入用ダクトを介して接続されている。印刷機は、枚葉オフセット印刷機や、巻紙オフセット印刷機、凹版印刷機など、インキ供給用のローラを用いるものである。この実施の形態においては、空気導入管７が本発明でいう「吸入口」に相当する。
【００１６】
上側蓋部５ｃの上端部にはブロワー４の吸入管８が接続されている。ブロワー４は、この吸入管８を介して筐体５内の空気を吸引し、この空気を上側の排気管９に吐出する。このため、ブロワー４が動作すると、筐体５内に空気導入管７から空気が吸入される。
排気管９の下流側端部は、ハウジング２の一側部に接続されてハウジング２に支持されている。ブロワー４の排気は、この排気管９に排気用ダクト（図示せず）を接続することによって、印刷機が設置されている建屋の外に排出することが可能である。この実施の形態においては、排気管９が本発明でいう「吐出口」に相当する。
【００１７】
処理部６は、空気導入管７（吸入口）と排気管９（吐出口）とを結ぶ流路の方向に複数の光触媒フィルター１１と複数の紫外光照射用ランプ１２とが交互に並ぶ状態で筐体５の内部に配置されて構成されている。処理部６の最下部にはプレフィルター１３が設けられている。
【００１８】
複数の光触媒フィルター１１は、図３に示すように、それぞれ枠体１４にフィルター本体１５が取付けられたものである。個々の光触媒フィルター１１の大きさは、筐体５の上述した扉が開放されることにより形成された開口部を通すことが可能な大きさである。尚、図３に二点鎖線で示した紫外光照射ランプ１２は光触媒フィルター１１を平面に見た場合の紫外光照射ランプ１２の位置を示す仮想線である。
【００１９】
フィルター本体１５は、詳細には図示してはいないが、活性炭を含有する網目状部分に光触媒が塗布されて形成されている。この実施の形態による光触媒は、酸化チタンである。なお、光触媒は、酸化チタンに限定されることはない。
また、これらの光触媒フィルター１１は、主面が上下方向を指向し、かつ上下方向に互いに離間する状態で筐体５内に保持されている。光触媒フィルター１１どうしの間には、図１および図２に示すように、空間Ｓが形成されている。この実施の形態による揮発性有機溶剤ガス処理装置１は、印刷機で生じた揮発性有機溶剤のガスを確実に除去できるように、４枚の光触媒フィルター１１を備えている。
【００２０】
複数の紫外光照射用ランプ１２は、紫外光を光触媒フィルター１１の光触媒に照射するためのものである。これらのランプ１２は、いわゆる直管型のもので、水平方向に延びる状態で上述した空間Ｓに配置されている。
この実施の形態においては、図２に示すように、光触媒フィルター１１どうしの間の隙間Ｓに３本の紫外光照射用ランプ１２が水平方向に所定の間隔をおいて並ぶ状態に配置されている。このため、筐体５内には、複数の光触媒フィルター１１と複数のランプ１２とが交互に並ぶ状態で設けられている。
これらの紫外光照射用ランプ１２は、印刷機の稼働状況に関わらず、長期間使用しない場合を除いて常時点灯させておくことが望ましい。
【００２１】
筐体５内の最下部に位置するプレフィルター１３は、塵埃やその他の微細な異物が空気とともに筐体５内に流入することを防ぐためのものである。このプレフィルター１３は、筐体５の下側蓋部５ｂに着脱可能に取付けられている。
【００２２】
このように構成された揮発性有機溶剤ガス処理装置１においては、ブロワー４が動作することによって、筐体５内の空気がブロワー４に吸引され、空気導入管７内に負圧が生じる。この結果、印刷機で生じた揮発性有機溶剤のガスが印刷機のカバー内の空気とともに空気導入用ダクトと空気導入管７とを通って筐体５内に下方から吸入される。この揮発性有機溶剤のガスは、印刷機のインキや湿し水から生じたり、インキ供給用ローラを洗浄する洗浄液から生じる。
【００２３】
この揮発性有機溶剤ガス処理装置１が動作するときは、紫外光照射用ランプ１２が点灯し、紫外光が光触媒フィルター１１（光触媒）に照射される。このとき、筐体５の内面に照射された紫外光の一部は、筐体５の内面で反射し、光触媒フィルター１１に多方面から効率よく照射される。
筐体５内に吸入された空気は、プレフィルター１３で異物が除去された後に複数の光触媒フィルター１１を通って筐体５の上端部からブロワー４に吸い込まれる。
【００２４】
このため、この空気に含まれている揮発性有機溶剤のガスは、複数の光触媒フィルター１１を通過するときに光触媒に接触する。このとき、光触媒に紫外光が照射されて活性酸素が発生しているから、この活性酸素によって揮発性有機溶剤のガスが分解される。このため、揮発性有機溶剤のガスが除去された空気が筐体５の上端部からブロワー４に吸引され、排気管９を通ってハウジング２の外に排出されることになる。
【００２５】
この揮発性有機溶剤ガス処理装置１によれば、揮発性有機溶剤のガスを発生場所（印刷機のカバー内）からブロワー４によって光触媒フィルター１１に直接導くことができる。このため、この揮発性有機溶剤ガス処理装置１は、特許文献１に記載されたような水槽を使用する装置と較べてコンパクトに実現することができる。また、この実施の形態による揮発性有機溶剤ガス処理装置１は、水の漏洩を許容できない場所でも防水構造を採ることなく設置できる。
したがって、この実施の形態によれば、簡易な構成でコンパクトに実現できるとともに設置場所に制約を受けることがない揮発性有機溶剤ガス処理装置を提供することができる。
【００２６】
上述した実施の形態においては、ハウジング２および筐体５が上下方向に長くなる形状に形成されている例を示した。しかし、これらのハウジング２および筐体５は、水平方向に長くなる形状に形成することができる。この場合は、個々の光触媒フィルター１１が上下方向に延びる状態で筐体内で水平方向に並ぶようになる。
【００２７】
上述した実施の形態においては、揮発性有機溶剤のガスを含む空気を吸入、吐出する為にブロワーを用いている。しかし、本発明は、このような限定にとらわれることはない。本発明を実施するにあたり揮発性有機溶剤のガスを含む空気を吸入、吐出するために使用する装置は、気体を吸入、吐出することができるものであればブロワーでなくてもよい。
【符号の説明】
【００２８】
１…揮発性有機溶剤ガス処理装置、４…ブロワー、５…筐体、６…処理部、７…空気導入管、９…排気管、１１…光触媒フィルター、１２…紫外光照射用ランプ。
【図１】
2017215077.tif 000003
【図２】
2017215077.tif 000004
【図３】
2017215077.tif 000005